(57)【特許請求の範囲】
【請求項１】
巻テ−プより粘着テープを繰り出し可能に保持する紙製のホルダ本体と、
刃本体の一縁部に粘着テープ幅方向に延びる刃先が形成された金属刃と、を備え、
前記ホルダ本体は、粘着テープ繰り出し方向側の端部に前記粘着テープに相対するように一体に形成されて前記金属刃が装着される装着部を有してなり、
前記金属刃は、前記刃本体にプレス加工によって粘着テープ長手方向へ折り曲げ可能に打ち抜かれた爪部が１つないし３つ形成され、
前記装着部は、粘着テープ幅方向に延びて前記金属刃の前記爪部が通される一直線状のスリットが形成され、
前記金属刃は、前記刃先がホルダ本体側を向いた状態で、前記各爪部が前記装着部の一面側から前記スリットに通されて前記装着部の他面側に屈曲され、
前記装着部は、屈曲された前記各爪部と前記刃本体とで部材厚み方向に挟持され、前記金属刃の前記刃先が粘着テープ繰り出し方向側を向くように前記ホルダ本体に対して折り返された粘着テープ用ホルダであって、
前記装着部に、先端縁部から粘着テープ長手方向に延びて前記スリットに達するミシン目が形成されていることを特徴とする粘着テープ用ホルダ。
【請求項２】
前記金属刃は、前記爪部が粘着テープ幅方向に２つ並んでかつ所要間隔を開けて形成され、
前記スリットは、前記爪部粘着テープ幅方向に延びて前記金属刃の前記２つの前記爪部が通される２つの爪部挿通スリット部分と、前記２つのスリットの双方に連なる爪部非挿通スリット部分と、を有して一直線状に形成されていることを特徴とする請求項１に記載の粘着テープ用ホルダ。
【請求項３】
前記金属刃は、前記爪部が粘着テープ幅方向に並んでかつ所要間隔を開けて３つ形成され、
前記スリットは、前記爪部粘着テープ幅方向に延びて前記金属刃の前記２つの前記爪部が通される３つの爪部挿通スリット部分と、前記爪部挿通部分同士の間を繋いでいる爪部非挿通スリット部分と、を有して一直線状に形成されていることを特徴とする請求項１に記載の粘着テープ用ホルダ。
【請求項４】
前記金属刃は、前記装着部の幅寸法の半分よりも大きい幅を有する前記爪部が１つ形成され、
前記スリットは、全長が前記爪部の幅寸法と等しい寸法に形成されていることを特徴とする請求項１に記載の粘着テープ用ホルダ。
【請求項５】
前記装着部の前記先端縁部に、前記ミシン目に連なるＶ字状の切欠きが形成されていることを特徴とする請求項１に記載の粘着テープ用ホルダ。
【発明の詳細な説明】
【技術分野】
【０００１】
本発明は、粘着テープ用ホルダに関する。
【０００２】
従来の粘着テープ用ホルダとして、図６，図７に示すものが知られている（例えば、特許文献１参照）。この特許文献１に開示された粘着テープ用ホルダ５０は、巻テ−プを収容して箱形に組み立てられた形態であり、巻テ−プより両面粘着テープＴを繰り出し可能に保持する紙製のホルダ本体５１と、刃本体５２ａの一縁部に粘着テープ幅方向に延びる鋸刃状の刃先５２ｂが形成された金属刃５２と、を備えている。
【０００３】
この粘着テープ用ホルダ５０は、刃先５２ｂが粘着テープ繰り出し方向側へ突出するよう金属刃５２がホルダ本体５１に装着されており、ユーザーによって、ホルダ本体５１から繰り出された両面粘着テープＴの所定個所が刃先５２ｂに押し当てられた状態で、両面粘着テープＴが刃先５２ｂに対して屈曲して係止され引っ張られることにより、刃先５２ｂが両面粘着テープＴを押し当てられた個所より切断することができるようになっている。
【先行技術文献】
【特許文献】
【０００４】
【特許文献１】特開平９−４８５５３号公報
【発明の概要】
【発明が解決しようとする課題】
【０００５】
ところで、特許文献１に記載されたものは、何度も繰り返される両面粘着テープＴの切断に金属刃５２の取り付け強度が耐え得るように、強固にホルダ本体５１に固定されることが要求されるが、両面粘着テープＴが全て繰り出された後にあっては、資源として分別回収して再活用することを考慮すると、金属刃５２をホルダ本体５１から容易に取り外しできることが望ましい。しかしながら、特許文献１に記載されたものは、金属刃５２をホルダ本体５１から容易に取り外すことについて考慮されていなかった。
【０００６】
本発明は、上述した問題に鑑みてなされたもので、紙製のホルダ本体から金属刃を容易に取り外すことができる粘着テープ用ホルダを提供することを目的としている。
【課題を解決するための手段】
【０００７】
本発明に係る粘着テープ用ホルダは、上記課題を解決するため、巻テ−プより粘着テープを繰り出し可能に保持する紙製のホルダ本体と、刃本体の一縁部に粘着テープ幅方向に延びる刃先が形成された金属刃と、を備え、前記ホルダ本体は、粘着テープ繰り出し方向側の端部に前記粘着テープに相対するように一体に形成されて前記金属刃が装着される装着部を有してなり、前記金属刃は、前記刃本体にプレス加工によって粘着テープ長手方向へ折り曲げ可能に打ち抜かれた爪部が１つないし３つ形成され、前記装着部は、粘着テープ幅方向に延びて前記金属刃の前記爪部が通される一直線状のスリットが形成され、前記金属刃は、前記刃先がホルダ本体側を向いた状態で、前記各爪部が前記装着部の一面側から前記スリットに通されて前記装着部の他面側に屈曲され、前記装着部は、屈曲された前記各爪部と前記刃本体とで部材厚み方向に挟持され、前記金属刃の前記刃先が粘着テープ繰り出し方向側を向くように前記ホルダ本体に対して折り返された粘着テープ用ホルダであって、前記装着部に、先端縁部から粘着テープ長手方向に延びて前記スリットに達するミシン目が形成されている構成である。
【０００８】
この構成によれば、本発明に係る粘着テープ用ホルダは、円環状の巻芯に巻かれた粘着テープが全て繰り出されたなら、紙製のホルダ本体の装着部から離れた切り裂き易い適宜箇所を切り裂いて、粘着テープの円環状の巻芯を取り外した後、ホルダ本体に対して折り返された装着部を平面的に展開させて、装着部の先端縁部からミシン目を切り開くことにより、紙製のホルダ本体から金属刃を容易に取り外すことができる。
【０００９】
また、本発明に係る粘着テープ用ホルダは、前記金属刃に備える前記爪部の数により一層具体的な以下の構成が採れる。
［爪部が２つの場合］  前記金属刃は、前記爪部が粘着テープ幅方向に２つ並んでかつ所要間隔を開けて形成され、前記スリットは、前記爪部粘着テープ幅方向に延びて前記金属刃の前記２つの前記爪部が通される２つの爪部挿通スリット部分と、前記２つのスリットの双方に連なる爪部非挿通スリット部分と、を有して一直線状に形成されている。
［爪部が３つの場合］  前記金属刃は、前記爪部が粘着テープ幅方向に並んでかつ所要間隔を開けて３つ形成され、前記スリットは、前記爪部粘着テープ幅方向に延びて前記金属刃の前記２つの前記爪部が通される３つの爪部挿通スリット部分と、前記爪部挿通部分同士の間を繋いでいる爪部非挿通スリット部分と、を有して一直線状に形成されている。
［爪部が１つの場合］  前記金属刃は、前記装着部の幅寸法の半分よりも大きい幅を有する前記爪部が１つ形成され、前記スリットは、全長が前記爪部の幅寸法と等しい寸法に形成されている。
【００１０】
金属刃の爪部の数が上記のいずれであっても、本発明に係る粘着テープ用ホルダは、ミシン目をスリットに到達するまで切り開くことで金属刃の取り外しを容易に行うことができる。なお、爪部の面積が多いほど、金属刃の装着部に対する保持力が大きくなるが、金属刃の取り外しはいずれも容易に行える。
【００１１】
また、本発明に係る粘着テープ用ホルダは、前記装着部の前記先端縁部に、前記ミシン目に連なるＶ字状の切欠きが形成された構成が採れる。
【００１２】
この構成により、本発明に係る粘着テープ用ホルダは、ミシン目の切り開きの取っ掛かりが容易になり、紙製のホルダ本体から金属刃を取り外すことを一層容易に行うことができる。
【発明の効果】
【００１３】
本発明によれば、紙製のホルダ本体から金属刃を容易に取り外すことができる粘着テープ用ホルダを提供することができる。
【図面の簡単な説明】
【００１４】
【図１】本発明の第１の実施の形態の粘着テープ用ホルダに係り、粘着テープ用ホルダを円環状の巻芯に巻かれた両面粘着テープに被せる前の外面側の平面展開図である。
【図２】本発明の第１の実施の形態の粘着テープ用ホルダに係り、粘着テープ用ホルダを円環状の巻芯に巻かれた両面粘着テープに被せる前の内面側の平面展開図である。
【図３】本発明の第１の実施の形態に係る粘着テープ用ホルダを構成するホルダ本体と金属刃とに分解した状態を示し、（ａ）図は粘着テープ用ホルダのホルダ本体の外面側の平面展開図であり、（ｂ）図は金属刃の正面図であり、（ｃ）図は金属刃の側面である。
【図４】本発明の第２の実施の形態に係る粘着テープ用ホルダを構成する金属刃の正面図である。
【図５】本発明の第３の実施の形態に係る粘着テープ用ホルダを構成する金属刃の正面図である。
【図６】従来の粘着テープ用ホルダの使用状態を示す斜視図である。
【図７】従来の粘着テープ用ホルダの使用状態を示す正面図である。
【発明を実施するための形態】
【００１５】
以下、本発明の実施の形態に係る粘着テープ用ホルダについて図面を参照して説明する。
【００１６】
［第1の実施の形態］
図１、図２に示すように、本実施の形態に係る粘着テープ用ホルダ１は、巻テ−プを収納する刃付の容器の箱形に組み立てる前の平面展開形状を示しており、巻テ−プより粘着テープを繰り出し可能に保持する紙製のホルダ本体２と、刃本体３１の一縁部に粘着テープ幅方向に延びる刃先３２が形成された金属刃３０と、を備えている。なお、巻テ−プは、紙、プラスチックその他の材料で形成した円環状の巻芯に剥離紙に仮着した両面粘着テ−プを、該剥離紙が表側（上面）になるようにして巻き付けている。
【００１７】
図３に示すように、ホルダ本体２は、後述するスリット２４と、ミシン目２８と、Ｖ字状の切欠き２９とを除き、特許文献１に係る容器の展開形状と同一である。そこで、ホルダ本体２について以下に簡単に説明する。
【００１８】
ホルダ本体２は、底板部３と、底板部３の両側にそれぞれ折線４，４を存して延在し容器組立時に上縁部７が巻テ−プの未使用時の外径にほぼ一致する半円弧状に形成された一対の面板部５，５と、一対の面板部５，５および底板部３の一方の側縁に折線８，８を存して当該一対の面板部５，５および底板部３にわたって延在し、さらに面を三つの領域に分ける折線９，９を存して容器組立時に各面板部５，５および底板部３の内側へ折り重ねられる補強片部１０と、底板部３の他方の側縁に折線１１を存して延在する舌片部１２と、面板部５，５の他方の側縁に折線１３，１３を存して延在する一対の側板部１４，１４と、各面板部５の略中央部に上縁部７に対応しかつ巻テ−プの巻芯の中空部の内壁に沿う弧状の切線１５が形成され、さらに底板部３の両側の折線４，４にほぼ平行で切線１５の両端部を結ぶように不連続な切線１７を有する折線１８，１８が形成され、容器組立時に折線１８，１８を内方に折り込んで重なる一対の折込片１９，１９と、を有する。
【００１９】
さらに、ホルダ本体２は、補強片部１０と底板部３との連結部には、コ字形で小寸法の開口幅を有する切欠部２０を有し、補強片部１０の切欠部２０と折線９，９とで囲まれた中央部分が、金属刃３０を装着する装着部２１となっている。装着部２１は、粘着テープ繰り出し方向側の端部に粘着テープに相対するように一体に形成されて後述するように金属刃３０が装着される。
【００２０】
金属刃３０は、薄肉な鋼板よりなる刃本体３１にプレス加工によって粘着テープ長手方向へ折り曲げ可能に打ち抜かれた２つの舌状の爪部３３，３３が粘着テープの幅方向に並んでかつ所要間隔を開けて形成されている。
【００２１】
装着部２１は、粘着テープ幅方向に延びて金属刃３０の２つの爪部３３，３３が通されるスリット２４が形成されている。
【００２２】
スリット２４は、爪部粘着テープ幅方向に延びて金属刃３０の２つの爪部３３，３３が通される２つの爪部挿通スリット部分と、２つのスリット部分の双方に連なる爪部非挿通スリット部分と、を有し、一直線状に形成されている。
【００２３】
そして、装着部２１には、先端縁部２７から粘着テープ長手方向に延びてスリット２４の長さ方向中央位置に達するミシン目２８が形成され、装着部２１の先端縁部２７に、ミシン目２８に連なるＶ字状の切欠き２９が形成されている。
【００２４】
金属刃３０は、刃先３２がホルダ本体２側を向いた状態で、２つの爪部３３，３３が装着部２１の一面側からスリット２４の２つの爪部挿通スリット部分に通されて装着部２１の他面側に重なるように屈曲されている。
【００２５】
したがって、装着部２１は、屈曲された各爪部３３と刃本体３１とで部材厚み方向に挟持され、容器組立時に補強片部１０が各面板部５，５に内面に折り重ねられるとともに、補強片部１０の間の装着部２１が底板部３の内側へ折り重ねられると、金属刃３０の刃先３２が粘着テープ繰り出し方向側を向くようになっている。
【００２６】
粘着テープ用ホルダ１は特許文献１と同一に組立てられる。まず、上記補強片部１０および装着部２１を折線８によって面板部５および底板部３の内面へ折り重ね、底板部３の上に巻テ−プをおき、面板部５，５をそれぞれの折線４，４により巻テ−プの側面に折り立て、ここで面板部５，５の間に巻テ−プを収納し、一方の面板部５にある折込片１９を折線１８で芯中空部内へ折り込み、その上面へ他方の面板部５の折込片１９を折線１８で折り込み、舌片部１２、側板部１４，１４も各々折線１１および折線１３，１３で折り重ねると、包装が完了する。
【００２７】
本実施の形態に係る粘着テープ用ホルダ１によれば、円環状の巻芯に巻かれた粘着テープが全て繰り出されたなら、紙製のホルダ本体２の装着部２１から離れた切り裂き易い適宜箇所を切り裂いて、粘着テープの巻芯を取り外した後、ホルダ本体２に対して折り返された装着部２１を平面状に展開させて、装着部２１の先端縁部２７からミシン目２８を切り開くことにより、紙製のホルダ本体２から金属刃３０を容易に取り外すことができる。
【００２８】
ミシン目２８を切り開くには、２つの手法がある。１つの手法は、例えば、平面状に展開させたホルダ本体２の姿勢を、金属刃３０に対してミシン目２８が上側に来るようにして、装着部２１のミシン目２８で分かれる両側部分２２，２３のうち、一方を固定状態に保持し、他方を装着部２１の面に垂直な方向にかつ金属刃３０から離れる方向に折り曲げることにより、ミシン目２８を切り開いていくことができ、ミシン目２８の切り開きがスリット２４に到達すると、金属刃３０の２つ並んだ爪部３３，３３のうち、当該他方側の爪部３３が刃本体３１に対して引き起こされた状態になって開かれたスリット２４から離脱し、残りの爪部３３もスリット２４に緩く係合した状態になるので、金属刃３０の刃先側を保持し、スリット２４の中央位置側にずらしながら刃先方向に引くと、装着部２１から金属刃３０を容易に取り外すことができる。
【００２９】
他の１つの手法は、例えば、平面状に展開させたホルダ本体２の姿勢を、金属刃３０に対してミシン目２８が下側に来るようにして、装着部２１の先端縁部２７のミシン目２８で分かれる両側部分２２，２３を各別に保持し、両側部分２２，２３を離間する方向に引くと、ミシン目２８を切り開いていくことができ、ミシン目２８の切り開きがスリット２４に到達すると、装着部２１のミシン目２８で分かれる両側部分２２，２３が２つ並んだ爪部３３に対して横スライドして離脱するので、装着部２１から金属刃３０を容易に取り外すことができる。なお、平面上に展開させたホルダ本体２の姿勢を、金属刃３０に対してミシン目２８が上側に来るようにして、ミシン目２８を切り開いていくと、金属刃３０が落下し紛失する恐れがあるため、金属刃回収用の受皿を用意して、当該受皿の真上でミシン目２８を切り開くようすることが好ましい。
【００３０】
また、本実施の形態に係る粘着テープ用ホルダ１は、装着部２１の先端縁部２７にＶ字状の切欠き２９が形成されているので、ミシン目２８の切り開きの取っ掛かりが容易になり、紙製のホルダ本体２から金属刃３０を取り外すことが一層容易に行える。
【００３１】
本願発明は、金属刃３０の爪部３３の数が従来技術と同じ２つ並んで有する上記第１の実施の形態に限定されるものではなく、以下に述べるように、爪部の面積が大きくなる場合についても、第１の実施の形態と同様に、金属刃の取り外しが容易に行うことができて、技術的範囲に含むものである。なお、以下の実施の形態の説明では、金属刃以外の構成は、第１の実施の形態の構成と同一である、特徴的構成以外の説明を省略するものとする。
【００３２】
［第２の実施の形態］
図５は、第２の実施の形態に係る粘着テープ用ホルダの金属刃３０Ａを示す。この金属刃３０Ａは、粘着テープ幅方向に並んでかつ所要間隔を開けて３つの爪部３３Ａ，３３Ａ，３３Ａが形成され、図３（ａ）に示すスリット２４は、粘着テープ幅方向に延びて金属刃３０Ａの３つの爪部３３Ａ，３３Ａ，３３Ａが通される３つの爪部挿通スリット部分と、爪部挿通スリット部分同士の間を繋いでいる２つの爪部非挿通スリット部分と、が形成されている。
【００３３】
この構成により、本実施の形態に係る粘着テープ用ホルダは、ミシン目をスリットに到達するまで切り開くことで金属刃３０Ａの取り外しを容易に行うことができる。
【００３４】
［第３の実施の形態］
図６は、第３の実施の形態に係る粘着テープ用ホルダの金属刃３０Ｂを示す。この金属刃３０Ｂは、装着部の幅寸法の半分よりも大きい幅を有する１つの爪部３３Ｂが形成され、図３（ａ）に示すスリット２４は、全長が爪部３３Ｂの幅寸法と等しい寸法に形成されている。
【００３５】
この構成により、本実施の形態に係る粘着テープ用ホルダは、ミシン目をスリットに到達するまで切り開くことで金属刃３０Ｂの取り外しを容易に行うことができる。
【００３６】
以上説明したように、本発明の粘着テープ用ホルダは、紙製のホルダ本体から金属刃を容易に取り外すことができるという効果を有し、粘着テープ用ホルダ全般に有用である。
【符号の説明】
【００３７】
１  粘着テープ用ホルダ
２  ホルダ本体
２１  装着部
２４  スリット
２７  先端縁部
２８  ミシン目
２９  Ｖ字状の切欠き
３０、３０Ａ、３０Ｂ  金属刃
３１  刃本体
３２  刃先
３３、３３Ａ、３３Ｂ  爪部
【図１】
0006688677.tif 000002
【図２】
0006688677.tif 000003
【図３】
0006688677.tif 000004
【図４】
0006688677.tif 000005
【図５】
0006688677.tif 000006
【図６】
0006688677.tif 000007
【図７】
0006688677.tif 000008